(57)【要約】【課題】データ受信の許否対象の電話番号を登録する際のユーザーの負担を軽減できるファクシミリ装置を提供する。【解決手段】ファクシミリ装置１００は、通信部３０と、入力部２０と、登録決定部１１とを備える。通信部３０は、外部ファクシミリ装置Ｅの電話番号を示す発信者番号Ｃが通知された後に、外部ファクシミリ装置Ｅとの間でデータＤのファクシミリ通信を行う。入力部２０には、データＤの受信を開始する受信開始操作が入力される。登録決定部１１は、受信開始操作が入力部２０に入力された場合に、データＤの受信を許可する許可番号として発信者番号Ｃを登録する。【選択図】図１
2019022050.tif 000002
【特許請求の範囲】
【請求項１】
外部ファクシミリ装置の電話番号を示す発信者番号が通知された後に、前記外部ファクシミリ装置との間でデータのファクシミリ通信を行う通信部と、
前記データの受信を開始する受信開始操作が入力される入力部と、
前記受信開始操作が前記入力部に入力された場合に、前記データの受信を許可する許可番号として前記発信者番号を登録する登録決定部と
を備える、ファクシミリ装置。
【請求項２】
外部ファクシミリ装置の電話番号を示す発信者番号が通知された後に、前記外部ファクシミリ装置との間でデータのファクシミリ通信を行う通信部と、
前記ファクシミリ通信を切断する通信切断操作が入力される入力部と、
前記通信切断操作が前記入力部に入力された場合に、前記データの受信を拒否する拒否番号として前記発信者番号を登録する登録決定部と
を備える、ファクシミリ装置。
【請求項３】
前記外部ファクシミリ装置との音声による通話が可能な音声通話部を更に備え、
前記受信開始操作は、前記通話の後に前記入力部に入力される、請求項１に記載のファクシミリ装置。
【請求項４】
前記外部ファクシミリ装置との音声による通話が可能な音声通話部を更に備え、
前記音声通話部は、電話機本体と受話器とを含み、
前記通信切断操作は、前記通話の後に前記電話機本体に前記受話器を載置することを示す、請求項２に記載のファクシミリ装置。
【請求項５】
前記発信者番号を記憶する記憶部と、
前記発信者番号を表示する表示部と
を更に備える、請求項１から請求項４のいずれか１項に記載のファクシミリ装置。
【請求項６】
外部ファクシミリ装置の電話番号を示す発信者番号が通知された後に、前記外部ファクシミリ装置から送信されるデータの受信を開始する受信開始操作が入力される受信開始入力工程と、
前記受信開始操作が前記受信開始入力工程で入力された場合に、前記データの受信を許可する許可番号として前記発信者番号を登録する登録決定工程と、
前記受信開始操作に従い、前記外部ファクシミリ装置との間で前記データを受信するファクシミリ通信を行う受信通信工程と
を包含する、ファクシミリ制御方法。
【請求項７】
外部ファクシミリ装置の電話番号を示す発信者番号が通知された後に、前記外部ファクシミリ装置とのファクシミリ通信を切断する通信切断操作が入力される通信切断入力工程と、
前記通信切断操作に従い、前記外部ファクシミリ装置との前記ファクシミリ通信を切断する切断通信工程と、
前記通信切断操作が前記通信切断入力工程で入力された場合に、前記外部ファクシミリ装置から送信されるデータの受信を拒否する拒否番号として前記発信者番号を登録する登録決定工程と
を包含する、ファクシミリ制御方法。
【発明の詳細な説明】
【技術分野】
【０００１】
本発明は、ファクシミリ装置及びファクシミリ制御方法に関する。
【背景技術】
【０００２】
ファクシミリ通信によるデータの受信を許可又は拒否するファクシミリ装置が知られている。このようなファクシミリ装置として、特許文献１に記載のファクシミリ装置は、ワンタッチダイヤル又は短縮ダイヤルの番号として、外部ファクシミリ装置の電話番号を予め登録する。特許文献１に記載のファクシミリ装置は、ファクシミリ通信時に発信元情報（ＴＳＩ：Ｔｒａｎｓｍｉｔｔｉｎｇ  Ｓｕｂｓｃｒｉｂｅｒ  Ｉｄｅｎｔｉｆｉｃａｔｉｏｎ）に含まれて送信される発呼機電話番号と、予め登録された電話番号とを比較し、一致しない場合にはデータを受信せずにファクシミリ通信を終了する。特許文献１に記載のファクシミリ装置によれば、自動受信の際にデータの受信を許可又は拒否することによって無駄なデータ通信を抑制する。
【先行技術文献】
【特許文献】
【０００３】
【特許文献１】特開平７−３３６５１４号公報
【発明の概要】
【発明が解決しようとする課題】
【０００４】
しかしながら、特許文献１に記載のファクシミリ装置では、外部ファクシミリ装置の電話番号を予め登録するために、ワンタッチダイヤル又は短縮ダイヤルの番号としての電話番号を手入力する作業を要する。従って、特許文献１に記載のファクシミリ装置では、データ受信の許可対象の電話番号を登録する際のユーザーの負担が大きかった。
【０００５】
本発明は上記課題に鑑みてなされたものであり、データ受信の許否対象の電話番号を登録する際のユーザーの負担を軽減できるファクシミリ装置及びファクシミリ制御方法を提供することを目的とする。
【課題を解決するための手段】
【０００６】
本発明に係るファクシミリ装置は、通信部と、入力部と、登録決定部とを備える。前記通信部は、外部ファクシミリ装置の電話番号を示す発信者番号が通知された後に、前記外部ファクシミリ装置との間でデータのファクシミリ通信を行う。前記入力部には、前記データの受信を開始する受信開始操作が入力される。前記登録決定部は、前記受信開始操作が前記入力部に入力された場合に、前記データの受信を許可する許可番号として前記発信者番号を登録する。
【０００７】
本発明に係るファクシミリ装置は、通信部と、入力部と、登録決定部とを備える。前記通信部は、外部ファクシミリ装置の電話番号を示す発信者番号が通知された後に、前記外部ファクシミリ装置との間でデータのファクシミリ通信を行う。前記入力部には、前記ファクシミリ通信を切断する通信切断操作が入力される。前記登録決定部は、前記通信切断操作が前記入力部に入力された場合に、前記データの受信を拒否する拒否番号として前記発信者番号を登録する。
【０００８】
本発明に係るファクシミリ制御方法は、受信開始入力工程と、登録決定工程と、受信通信工程とを包含する。前記受信開始入力工程では、外部ファクシミリ装置の電話番号を示す発信者番号が通知された後に、前記外部ファクシミリ装置から送信されるデータの受信を開始する受信開始操作が入力される。前記登録決定工程は、前記受信開始操作が前記受信開始入力工程で入力された場合に、前記データの受信を許可する許可番号として前記発信者番号を登録する。前記受信通信工程は、前記受信開始操作に従い、前記外部ファクシミリ装置との間で前記データを受信するファクシミリ通信を行う。
【０００９】
本発明に係るファクシミリ制御方法は、通信切断入力工程と、切断通信工程と、登録決定工程とを包含する。前記通信切断入力工程では、外部ファクシミリ装置の電話番号を示す発信者番号が通知された後に、前記外部ファクシミリ装置とのファクシミリ通信を切断する通信切断操作が入力される。前記切断通信工程は、前記通信切断操作に従い、前記外部ファクシミリ装置との前記ファクシミリ通信を切断する。前記登録決定工程は、前記通信切断操作が前記通信切断入力工程で入力された場合に、前記外部ファクシミリ装置から送信されるデータの受信を拒否する拒否番号として前記発信者番号を登録する。
【発明の効果】
【００１０】
本発明によれば、データ受信の許否対象の電話番号を登録する際のユーザーの負担を軽減できる。
【図面の簡単な説明】
【００１１】
【図１】本発明の実施形態１に係るファクシミリ装置の構成図である。
【図２】本発明の実施形態１に係るファクシミリ装置を示す図である。
【図３】本発明の実施形態１に係るファクシミリ装置の操作パネルを示す図である。
【図４】本発明の実施形態１に係るファクシミリ装置が実行する、許可番号の登録処理を示すフローチャートである。
【図５】本発明の実施形態１に係るファクシミリ装置が実行する、データの受信許可処理を示すフローチャートである。
【図６】本発明の実施形態２に係るファクシミリ装置が実行する、拒否番号の登録処理を示すフローチャートである。
【図７】本発明の実施形態２に係るファクシミリ装置が実行する、データの受信拒否処理を示すフローチャートである。
【発明を実施するための形態】
【００１２】
以下、本発明の実施形態について、図面を参照しながら説明する。なお、図中、同一又は相当部分については同一の参照符号を付して説明を繰り返さない。
【００１３】
［実施形態１］
図１を参照して、本発明の実施形態１に係るファクシミリ装置１００の構成を説明する。図１は、ファクシミリ装置１００の構成図である。ファクシミリ装置１００は、例えば、ファクシミリ機能を有する複合機のような画像形成装置、及びファクシミリ機能を有する電話機である。以下の本発明の実施形態は、一例として、ファクシミリ装置１００が画像形成装置（デスク上に載置可能な小型の複合機）である場合について説明する。ファクシミリ装置１００は、公衆回線網Ｎを介して外部ファクシミリ装置Ｅとの間で互いに通信可能に接続されている。
【００１４】
ファクシミリ装置１００は、通信部３０、入力部２０、記憶部５０、制御部１０、読取部７０、画像形成ユニット８０、給送部９０、搬送部９１、及び排出部９２を備える。なお、読取部７０、画像形成ユニット８０、給送部９０、搬送部９１、及び排出部９２については、図２を参照して後述する。
【００１５】
通信部３０は、外部ファクシミリ装置Ｅから発信者番号Ｃが通知された後に、外部ファクシミリ装置Ｅとの間でデータＤのファクシミリ通信を行う。発信者番号Ｃは、発信者によって使用される外部ファクシミリ装置Ｅを示す識別番号であり、例えば、外部ファクシミリ装置Ｅの電話番号である。データＤは、外部ファクシミリ装置Ｅからファクシミリ装置１００に送信される画像データである。
【００１６】
通信部３０は、ＮＣＵ（Ｎｅｔｗｏｒｋ  Ｃｏｎｔｒｏｌ  Ｕｎｉｔ）３１と、モデム３２と、符号化／復号化部３３とを有する。
【００１７】
ＮＣＵ３１は、外部ファクシミリ装置Ｅとの接続を制御する。ＮＣＵ３１は、公衆回線網Ｎを介した外部ファクシミリ装置Ｅからの着呼を検出し、着呼を示す信号を制御部１０へ送信する。
【００１８】
モデム３２は、アナログ信号からデジタル信号への復調、及びデジタル信号からアナログ信号への変調を実行する。モデム３２は、外部ファクシミリ装置Ｅから受信したアナログ信号をデジタル信号に復調する。
【００１９】
符号化／復号化部３３は、デジタル信号の符号化、及びデジタル信号の復号化を実行する。符号化／復号化部３３は、モデム３２が復調したデジタル信号を復号化する。
【００２０】
入力部２０は、手動受信ボタンと通信切断ボタンとを含む。入力部２０は、例えば、タッチパネル機能と種々のハードウェアボタンとを有する操作パネルである。手動受信ボタン及び通信切断ボタンの各構成の詳細については、図３を参照して後述する。入力部２０には、受信開始操作が入力される。受信開始操作は、データＤの受信を開始する操作であり、例えば、手動受信ボタンを用いて入力される。具体的には、受信開始操作は、例えば、手動受信モード（非自動受信モード）のファクシミリ装置１００において、ユーザーが手動受信ボタンを押下する操作を示す。
【００２１】
手動受信モードは、ユーザーによる操作を介してデータＤを受信するように設定されたファクシミリ装置１００の状態を示す。自動受信モードは、ユーザーによる操作を介することなくデータＤを受信するように設定されたファクシミリ装置１００の状態を示す。ユーザーは、操作パネルを操作して設定を変更することによって、手動受信モードと自動受信モードとを切り替えることができる。例えば、ユーザーは、在室時には手動受信モードに、不在時には自動受信モードにファクシミリ装置１００を設定してもよいし、時間帯に応じて手動受信モードと自動受信モードとを切り替えるように設定してもよい。
【００２２】
また、入力部２０には、通信切断操作が入力される。通信切断操作は、ファクシミリ通信を切断する操作であり、例えば、通信切断ボタンを用いて入力される。具体的には、通信切断操作は、例えば、手動受信モードのファクシミリ装置１００において、ユーザーが通信切断ボタンを押下する操作を示す。
【００２３】
さらに、入力部２０は、ユーザーの音声を認識することによってデータＤを受信したり、通信を切断したりするような音声認識機能を含んでいてもよい。音声認識機能によれば、ハンズフリーでの操作が可能となり、ユーザーの利便性が向上する。
【００２４】
記憶部５０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）によって構成される。記憶部５０は、ＨＤＤに代えてＳＳＤ（Ｓｏｌｉｄ  Ｓｔａｔｅ  Ｄｒｉｖｅ）を含んでいてもよい。記憶部５０は、各種のデータを記憶したり、ファクシミリ装置１００の各部の動作を制御するための制御プログラムを記憶する。制御プログラムは、制御部１０によって実行される。
【００２５】
制御部１０は、ＣＰＵ（Ｃｅｎｔｒａｌ  Ｐｒｏｃｅｓｓｉｎｇ  Ｕｎｉｔ）のようなプロセッサー、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部１０は、各種機能部としての登録決定部１１と、判定部１２とを含む。制御部１０は、記憶部５０に記憶された制御プログラムをプロセッサーが読み出して実行することによって、各種機能部として機能したり、ファクシミリ装置１００の各部の動作を制御する。
【００２６】
登録決定部１１は、受信開始操作が入力部２０に入力された場合に、発信者番号Ｃを許可番号として登録する。許可番号は、データＤの受信を許可する対象としての発信者番号Ｃを示す情報である。登録決定部１１によって許可番号として登録された発信者番号Ｃは、記憶部５０に記憶される。記憶部５０は、例えば、許可番号を示す許可番号リストを記憶することもできる。
【００２７】
判定部１２は、自動受信モード（非手動受信モード）のファクシミリ装置１００において、外部ファクシミリ装置Ｅから通知された発信者番号Ｃと、記憶部５０に記憶されている許可番号とに基づいて、データＤの受信を許可するか否かを判定する。ユーザーは、例えば、外出する際に手動受信モードから自動受信モードにファクシミリ装置１００の設定を切り替えておけばよい。なお、判定部１２による受信許可処理については図５を参照して後述する。
【００２８】
以上、図１を参照して説明したように、本実施形態によれば、通信部３０には、外部ファクシミリ装置Ｅから発信者番号Ｃが通知される。入力部２０には、受信開始操作が入力される。登録決定部１１は、受信開始操作が入力部２０に入力された場合に、発信者番号Ｃを許可番号として登録する。通信部３０は、外部ファクシミリ装置Ｅからのファクシミリ通信によるデータＤを受信する。従って、データＤの受信開始操作と、発信者番号Ｃを許可番号として登録する操作とを兼ねることができる。その結果、受信の許可対象の電話番号を登録する際のユーザーの負担を軽減できる。
【００２９】
なお、発信者番号Ｃは、例えば、外部ファクシミリ装置Ｅからファクシミリ装置１００へのファクシミリ通信の際にＴＳＩとしてファクシミリ装置１００に通知されてもよいが、外部ファクシミリ装置Ｅからの着呼の際に発信者番号通知サービス（電話会社によるサービス）を介してファクシミリ装置１００に通知されるほうが好ましい。ＴＳＩとして通知される電話番号は、外部ファクシミリ装置Ｅの使用者によって外部ファクシミリ装置Ｅに任意に登録される。一方、発信者番号通知サービスを介して通知される電話番号は、電話会社を介して通知される。従って、発信者番号通知サービスを介して通知される発信者番号Ｃは、外部ファクシミリ装置Ｅの電話番号（電話回線の番号）と一致する可能性が高い。その結果、ユーザーが許可番号を登録する際に、誤った電話番号（例えば、誤った加入者番号、及び不足した桁数）で登録することを抑制できる。以下の本発明の実施形態では、発信者番号Ｃが発信者番号通知サービスを介して通知される電話番号である場合について説明する。
【００３０】
引き続き図１を参照しつつ、図２を併せて参照して、ファクシミリ装置１００の全体構成の詳細を説明する。図２は、ファクシミリ装置１００を示す図である。
【００３１】
読取部７０は、原稿Ｇに形成された画像（例えば、ファクシミリを送信する対象としての画像）を読み取る。給送部９０は、複数のシートＳを収容し、搬送部９１へシートＳを搬送する。シートＳは、例えば、紙製又は合成樹脂製のＡ４サイズのシートである。搬送部９１は、複数の搬送ローラー対を含み、画像形成ユニット８０にシートＳを搬送する。画像形成ユニット８０は、感光体ドラムと、帯電装置と、露光装置と、現像装置と、転写装置と、クリーニング装置と、除電装置と、定着装置とを含む。画像形成ユニット８０は、電子写真方式により、シートＳに画像（例えば、外部ファクシミリ装置Ｅから受信したデータＤに対応する画像、及び、許可番号リストのような各種リストに対応する画像）を形成し、画像を加熱及び加圧してシートＳに定着させる。搬送部９１は、画像の定着されたシートＳを排出部９２に搬送する。排出部９２はファクシミリ装置１００の外部にシートＳを排出する。
【００３２】
ファクシミリ装置１００は、音声通話部４０を更に備えることが好ましい。音声通話部４０は、例えば、オプションで接続可能なハンドセットである。音声通話部４０は、電話機本体４１と受話器４２とを含む。電話機本体４１は、受話器４２を載置する台であり、フックボタン及びダイヤルボタンのような種々のハードウェアボタンを有する。受話器４２は、伸縮自在なコードを介して電話機本体４１と接続されており、受話口（スピーカー）と送話口（マイク）とを有する。
【００３３】
音声通話部４０によれば、外部ファクシミリ装置Ｅとの音声による通話（以下、単に「音声通話」と記載する。）が可能である。具体的には、ユーザーは、受話器４２で外部ファクシミリ装置Ｅから送信される音声（例えば、発信者の声、及びＣＮＧ信号音。以下、単に「外部ファクシミリ装置Ｅの音声」と記載する。）を聞いたり、発信者と会話できる。受信開始操作は、音声通話部４０による通話後に入力部２０に入力される。つまり、ユーザーは、外部ファクシミリ装置Ｅの音声の内容（例えば、発信者の用件、又はＣＮＧ信号音の有無）に応じて手動受信ボタンを押すか否かを判断する。従って、許可番号として登録する発信者番号Ｃを更に精査できる。その結果、許可番号の誤登録を抑制できる。
【００３４】
引き続き図１と図２とを参照しつつ、図３を併せて参照して、ファクシミリ装置１００の入力部２０と表示部６０との詳細を説明する。図３は、ファクシミリ装置１００の操作パネルを示す図である。
【００３５】
ファクシミリ装置１００は、表示部６０を更に備えることが好ましい。表示部６０は、例えば、タッチパネル機能を有するディスプレーであり、操作パネルに配置される。このようなタッチパネル機能は、表示部６０と入力部２０とを兼ね得る。例えば、ディスプレーに配置されるソフトウェアボタンは、手動受信ボタン２１と通信切断ボタン２２として機能する。なお、手動受信ボタン２１と通信切断ボタン２２とは、操作パネルに配置されるハードウェアボタン群２３であってもよい。
【００３６】
表示部６０は、発信者番号Ｃを表示する。詳細には、電話会社による発信者番号通知サービスを介して通知される発信者番号Ｃが通信部３０に通知されると、記憶部５０は、発信者番号Ｃを記憶する。表示部６０は、記憶部５０に記憶された発信者番号Ｃを表示する。ユーザーは、発信者番号Ｃを見て、手動受信ボタン２１を押すか否かを判断する。このように、ユーザーは、データＤの受信を所望する場合に、外部ファクシミリ装置Ｅの音声を聞くことなく受信開始操作を入力することができる。従って、ユーザーの負担を軽減しつつ、利便性を更に向上させることができる。
【００３７】
続いて、図４を参照して、ファクシミリ装置１００が手動受信モードにおいて実行する許可番号の登録処理について説明する。図４は、許可番号の登録処理を示すフローチャートである。ステップＳ１０１〜ステップＳ１０７が実行されることによって、制御部１０は、データＤを受信する処理と、発信者番号Ｃを許可番号として登録する処理とを実行する。具体的には、以下の通りである。
【００３８】
ステップＳ１０１において、外部ファクシミリ装置Ｅから通信部３０に発信者番号Ｃが通知される。処理は、ステップＳ１０３に進む。
【００３９】
次に、ステップＳ１０３において、判定部１２は、受信開始操作が入力部２０に入力された否かを判定する。受信開始操作が入力部２０に入力された場合（ステップＳ１０３でＹｅｓ）に、処理はステップＳ１０５に進む。一方、受信開始操作が入力部２０に入力されなかった場合（ステップＳ１０３でＮｏ）に、処理は終了する。
【００４０】
ステップＳ１０３でＹｅｓの場合に、ステップＳ１０５において、登録決定部１１は、発信者番号Ｃを許可番号として登録する。記憶部５０は、許可番号を記憶する。処理は、ステップＳ１０７に進む。
【００４１】
次に、ステップＳ１０７において、通信部３０は、ファクシミリ通信によるデータＤの受信を完了する。記憶部５０は、データＤを記憶する。そして、処理は終了する。
【００４２】
続いて、図５を参照して、ファクシミリ装置１００が自動受信モードにおいて実行するデータＤの受信許可処理について説明する。図５は、データＤの受信許可処理を示すフローチャートである。ステップＳ２０１〜ステップＳ２０７が実行されることによって、制御部１０は、データＤの受信許可の可否を判定する処理を実行する。具体的には、以下の通りである。
【００４３】
ステップＳ２０１において、外部ファクシミリ装置Ｅから通信部３０に発信者番号Ｃが通知される。処理は、ステップＳ２０３に進む。
【００４４】
次に、ステップＳ２０３において、判定部１２は、外部ファクシミリ装置Ｅから通知された発信者番号Ｃと、記憶部５０に記憶されている許可番号としての発信者番号Ｃとが一致するか否かを判定する。両者が一致する場合（ステップＳ２０３でＹｅｓ）に、処理はステップＳ２０５に進む。一方、両者が一致しない場合（ステップＳ２０３でＮｏ）に、処理はステップＳ２０７に進む。
【００４５】
ステップＳ２０３でＹｅｓの場合に、ステップＳ２０５において、通信部３０は、ファクシミリ通信によってデータＤを受信する。記憶部５０は、データＤを記憶する。そして、処理は終了する。
【００４６】
ステップＳ２０３でＮｏの場合に、ステップＳ２０７において、通信部３０は、外部ファクシミリ装置Ｅとのファクシミリ通信を切断する。そして、処理は終了する。
【００４７】
［実施形態２］
続いて、図１〜図３、図６、及び図７を参照して、本発明の実施形態２に係るファクシミリ装置１００について説明する。なお、図１〜図３を参照して説明した実施形態１と同様の構成については、図の説明が冗長となることを避けるため、図の記載と説明とを省略する。
【００４８】
上述した実施形態１において、登録決定部１１は、入力部２０に受信開始操作が入力された場合に、発信者番号Ｃを許可番号として登録していた。さらに、実施形態１において、判定部１２は、許可番号に基づいてデータＤの受信を許可するか否かを判定していた。一方、以下で説明する実施形態２においては、登録決定部１１は、入力部２０に通信切断操作が入力された場合に、発信者番号Ｃを拒否番号として登録する点と、判定部１２は、拒否番号に基づいてデータＤの受信を拒否するか否かを判定する点とについて、実施形態１の構成と異なる。
【００４９】
具体的には、実施形態２において、登録決定部１１は、入力部２０に通信切断操作が入力された場合に、発信者番号Ｃを拒否番号として登録する。拒否番号は、データＤの受信を拒否する対象としての発信者番号Ｃを示す情報である。登録決定部１１によって拒否番号として登録された発信者番号Ｃは、記憶部５０に記憶される。記憶部５０は、例えば、拒否番号を示す拒否番号リストを記憶することもできる。通信切断操作が入力部２０に入力されると、通信部３０は、外部ファクシミリ装置Ｅとのファクシミリ通信を切断する。従って、ファクシミリ通信の通信切断操作と、発信者番号Ｃを拒否番号として登録する操作とを兼ねることができる。その結果、受信の拒否対象の電話番号を登録する際のユーザーの負担を軽減できる。
【００５０】
判定部１２は、自動受信モードのファクシミリ装置１００において、外部ファクシミリ装置Ｅから通知された発信者番号Ｃと、記憶部５０に記憶されている拒否番号とに基づいて、データＤの受信を拒否するか否かを判定する。
【００５１】
さらに、実施形態１と同様に、発信者番号Ｃが発信者番号通知サービスを介してファクシミリ装置１００に通知される実施形態において、登録決定部１１が拒否番号を登録する際に、誤った電話番号で登録することを抑制できる。
【００５２】
さらに、実施形態１と同様に、音声通話部４０を備えることによって、ユーザーは、外部ファクシミリ装置Ｅの音声の内容に応じて通信切断ボタン２２を押すか否かを判断できる。従って、拒否番号として登録する発信者番号Ｃを更に精査することができる。
【００５３】
さらに、通信切断操作は、受話器４２による通話後に電話機本体４１に受話器４２を載置する操作であってもよい。ユーザーは、外部ファクシミリ装置Ｅの音声を聞いた後に、データＤの受信を要しないと判断した場合、受話器４２を電話機本体４１に載置する（電話機本体４１のフックボタンを受話器４２で押し下げる）ことによってファクシミリ通信を終了する。これにより、拒否番号の登録も完了する。従って、音声通話の際に通常要する一連の受話器４２の上げ下ろし操作と拒否番号を登録する操作とを簡易な構成で兼ねることができる。その結果、拒否番号を登録する際のユーザーの負担を更に軽減できる。
【００５４】
さらに、実施形態１と同様に、表示部６０を備えることにより、ユーザーは、発信者番号Ｃを目視して通信切断ボタン２２を押すか否かを判断できる。ユーザーは、データＤの受信を所望しない場合に、外部ファクシミリ装置Ｅの音声を聞くことなく通信切断操作を入力することができる。従って、ユーザーの負担を軽減しつつ、利便性を更に向上させることができる。
【００５５】
続いて、図６を参照して、ファクシミリ装置１００が手動受信モードにおいて実行する拒否番号の登録処理について説明する。図６は、拒否番号の登録処理を示すフローチャートである。ステップＳ３０１〜ステップＳ３０７が実行されることによって、制御部１０は、ファクシミリ通信を切断する処理と、発信者番号Ｃを拒否番号として登録する処理とを実行する。具体的には、以下の通りである。
【００５６】
ステップＳ３０１は、図４を参照して説明したステップＳ１０１と同様の処理を実行する。処理はステップＳ３０３に進む。
【００５７】
次に、ステップＳ３０３において、判定部１２は、受信開始操作が入力部２０に入力された否かを判定する。受信開始操作が入力部２０に入力された場合（ステップＳ３０３でＹｅｓ）に、処理はステップＳ３０７に進む。一方、受信開始操作が入力部２０に入力されなかった場合（ステップＳ３０３でＮｏ）に、処理はステップＳ３０９に進む。
【００５８】
ステップＳ３０３でＹｅｓの場合に、ステップＳ３０７において、図４を参照して説明したステップＳ１０７と同様の処理を実行する。そして、処理は終了する。
【００５９】
ステップＳ３０３でＮｏの場合に、ステップＳ３０９において、入力部２０に通信切断操作が入力される。すなわち、ユーザーは、通信切断ボタン２２を押下したり、受話器４２を電話機本体４１に載置する。通信部３０は、外部ファクシミリ装置Ｅとのファクシミリ通信を切断する。処理は、ステップＳ３１１に進む。
【００６０】
次に、ステップＳ３１１において、登録決定部１１は、発信者番号Ｃを拒否番号として登録する。記憶部５０は、拒否番号を記憶する。そして、処理は終了する。
【００６１】
続いて、図７を参照して、ファクシミリ装置１００が自動受信モードにおいて実行するデータＤの受信拒否処理について説明する。図７は、データＤの受信拒否処理を示すフローチャートである。ステップＳ４０１〜ステップＳ４０７が実行されることによって、制御部１０は、データＤの受信拒否の可否を判定する処理を実行する。具体的には、以下の通りである。
【００６２】
ステップＳ４０１は、図５を参照して説明したステップＳ２０１と同様の処理を実行する。処理は、ステップＳ４０３に進む。
【００６３】
次に、ステップＳ４０３において、判定部１２は、外部ファクシミリ装置Ｅから通知された発信者番号Ｃと、記憶部５０に記憶されている拒否番号としての発信者番号Ｃとが一致するか否かを判定する。両者が一致しない場合（ステップＳ４０３でＮｏ）に、処理はステップＳ４０５に進む。一方、両者が一致する場合（ステップＳ４０３でＹｅｓ）に、処理はステップＳ４０７に進む。
【００６４】
ステップＳ４０３でＮｏの場合に、ステップＳ４０５において、図５を参照して説明したステップＳ２０５と同様の処理を実行する。そして、処理は終了する。
【００６５】
ステップＳ４０３でＹｅｓの場合に、ステップＳ４０７において、図５を参照して説明したステップＳ２０７と同様の処理を実行する。そして、処理は終了する。
【００６６】
以上、図面（図１〜図７）を参照しながら本発明の実施形態を説明した。但し、本発明は、上記の実施形態に限られるものではなく、その要旨を逸脱しない範囲で種々の態様において実施することが可能である（例えば、下記に示す（１）〜（４））。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の材質、形状、寸法等は一例であって、特に限定されるものではなく、本発明の構成から実質的に逸脱しない範囲で種々の変更が可能である。
【００６７】
（１）図１〜図４、及び図６を参照して説明した音声通話部４０は、ハンドセットであったが、本発明はこれに限られない。音声通話部４０は、外部ファクシミリ装置Ｅの音声がユーザーに聞こえる構成でありさえすればよい。音声通話部４０は、例えば、市販の電話機を接続して構成されていてもよい。また、音声通話部４０は、例えば、操作パネルに配置されるオンフックボタン（図示せず）とスピーカー（図示せず）との組合せでもよい。受話器４２を上げる操作は、操作パネルのオンフックボタンを押下する操作によって代替可能である。オンフックボタンが押下されると、外部ファクシミリ装置Ｅの音声がスピーカーから聞こえる。従って、ユーザーは、受話器４２の上げ下ろしを要することなく、オンフックボタンの押下操作と受信開始操作とのみで許可番号を登録でき、オンフックボタンの押下操作と通信切断操作とのみで拒否番号を登録できる。その結果、ユーザーの利便性が更に向上する。
【００６８】
（２）図１〜図３を参照して説明した表示部６０は、発信者番号Ｃを表示していたが、本発明はこれに限られない。表示部６０は、種々のメッセージを更に表示することもできる。表示部６０は、例えば、入力部２０に通信切断操作が入力された場合に、発信者番号Ｃを拒否番号として登録する旨を示すメッセージを表示する。その後、登録決定部１１は、拒否番号として登録することを中止する中止操作が所定時間内に入力部２０に入力された場合にのみ、発信者番号Ｃを拒否番号として登録することを中止する。従って、ユーザーの意図しない拒否番号の登録を抑制できる。このようなメッセージは、ユーザーに通知される構成でありさえすればよく、例えば、音声でユーザーに通知されてもよい。
【００６９】
（３）実施形態１（図１〜図５）に係るファクシミリ装置１００は、受信開始操作によって許可番号を登録し、許可番号に基づいてデータＤの受信を許可するか否かを判定している。そして、実施形態２（図１〜図３、図６、及び図７）に係るファクシミリ装置１００は、通信切断操作によって拒否番号を登録し、拒否番号に基づいてデータＤの受信を拒否するか否かを判定している。しかしながら、本発明は、これに限られない。本発明は、実施形態１の構成要素と実施形態２の構成要素とを適宜組み合わせてもよい。例えば、手動受信モードにおいて、実施形態１のように許可番号を登録する設定と、実施形態２のように拒否番号を登録する設定とを切り替え可能な実施形態であってもよい。また、複数の許可番号と複数の拒否番号とを記憶部５０に蓄積しておき、自動受信モードにおいて、実施形態１のように許可番号に基づいて受信を許可する設定と、実施形態２のように拒否番号に基づいて受信を拒否する設定とを切り替え可能な実施形態であってもよい。これらのように切り替え可能とすることにより、ユーザーの利便性を更に向上させることができる。
【００７０】
（４）図５を参照して説明したデータＤの受信許可処理と、図７を参照して説明したデータＤの受信拒否処理とにおいて、発信者番号Ｃが許可番号又は拒否番号と一致しない場合（図５のステップＳ２０３のＮｏ、又は図７のステップＳ４０３のＮｏ）に、制御部１０は、ファクシミリ通信の切断（図５のステップＳ２０７）又はデータＤの受信（図７のステップＳ４０５）を実行していたが、本発明はこれに限られない。例えば、外部ファクシミリ装置Ｅから発信者番号Ｃが通知された際、発信者番号Ｃが許可番号及び拒否番号のいずれとも一致しない場合（未知の発信者番号Ｃである場合）がある。このような場合に、ファクシミリ装置１００は、電話機本体４１から呼出し音（例えば電話のベルの音）を発することによってユーザーに受話器４２を取るよう促す（音声通話を促す）こともできる。音声通話の後、ユーザーは、受信開始操作又は通信切断操作を行う。従って、許可番号又は拒否番号として登録する発信者番号Ｃを更に精査できる。その結果、ユーザーの利便性を更に向上させることができる。
【産業上の利用可能性】
【００７１】
本発明は、ファクシミリ装置の分野に利用可能である。
【符号の説明】
【００７２】
１１    登録決定部
２０    入力部
３０    通信部
４０    音声通話部
４１    電話機本体
４２    受話器
５０    記憶部
６０    表示部
１００  ファクシミリ装置
Ｃ      発信者番号
Ｄ      データ
Ｅ      外部ファクシミリ装置
【図１】
2019022050.tif 000003
【図２】
2019022050.tif 000004
【図３】
2019022050.tif 000005
【図４】
2019022050.tif 000006
【図５】
2019022050.tif 000007
【図６】
2019022050.tif 000008
【図７】
2019022050.tif 000009